(57)【要約】【課題】  本発明の目的は、波長による色ずれのない、多層フィルムＰＢＳを用いた偏光分離装置を提供することにある。【解決手段】  ２つの面を平行に配したＳ偏光の光を反射する２つの偏光分離面を有し、１面は第１の有効偏光光に対して透過と反射を行って反射型映像表素子への前記光の入出射を行い、他の１面は第２の有効偏光光に対して少なくとも反射を行うように構成する。この構成により、Ｓ偏光の光の各波長の光路長が等しくなるように成し、波長による色ずれのない画像表示を可能とした。【選択図】  図１
2006145644.tif 000002
【特許請求の範囲】
【請求項１】
光源からの光を反射型映像表示素子に照射させ、該反射型映像表示素子からの反射光を投射レンズ側に出射させる偏光分離装置であって、
２つの面を平行に配し、Ｓ偏光の光を反射する２つの偏光分離面を有し、
１面は、第１の有効偏光光に対して透過と反射を行い、前記反射型映像表素子への前記光の入出射を行い、
他の１面は、第２の有効偏光光に対して少なくとも反射を行うように構成し、
前記Ｓ偏光の光の各波長の光路長が等しくなるように成したことを特徴とする偏光分離装置。
【請求項２】
前記２つの偏光分離面の間に、位相差板を配置しないように構成したことを特徴とする請求項１に記載の偏光分離装置。
【請求項３】
前記２つの偏光分離面が、２つのプリズムの間に多層フィルムを挟み込んだ多層フィルムプリズムのフィルム面であることを特徴とする請求項１乃至請求項２の何れか1項に記載の偏光分離装置。
【請求項４】
前記第１の有効偏光光は、前記反射型映像表素子への前記光の入射時はＳ偏光光、出射時はＰ偏光光であり、
前記第２の有効偏光光は、Ｓ偏光光であることを特徴とする請求項１乃至請求項３の何れか1項に記載の偏光分離装置。
【請求項５】
前記第１の有効偏光光は、前記反射型映像表素子への前記光の入射時はＰ偏光光、出射時はＳ偏光光であり、
前記第２の有効偏光光は、Ｓ偏光光であることを特徴とする請求項１乃至請求項３の何れか1項に記載の偏光分離装置。
【請求項６】
４個の三角柱プリズムを有し、前記２つの偏光分離面の各々が２個の前記三角柱プリズムにより挟持され、挟持した２個の前記三角柱プリズムの２組を一体化構成としたことを特徴とする請求項１乃至請求項５の何れか1項に記載の偏光分離装置。
【請求項７】
２個の三角柱プリズムと１個の平行四辺形形状の四角柱プリズムを有し、前記２つの偏光分離面は、各々が１個の前記三角柱プリズムと前記四角柱プリズムにより挟持されるように構成としたことを特徴とする請求項１乃至請求項５の何れか1項に記載の偏光分離装置。
【請求項８】
光源と、
光源からの光束を所定の偏光光に揃える偏光変換素子と、
請求項１乃至請求項７の何れか１項に記載の偏光分離装置と、
映像信号に基づいて光学像を形成する反射型の映像表示素子と、
該映像表示素子からの光学像を拡大投射する投射レンズとを有し、
前記偏光分離装置を介して前記映像表示素子への光束の入出射を行うように構成したことを特徴とする投射型表示装置。
【発明の詳細な説明】
【技術分野】
【０００１】
本発明は、Ｐ偏光或いはＳ偏光の偏光状態によって、透過または反射作用を有する偏光ビームスプリッタ（以下、ＰＢＳと称す）で構成する偏光分離装置、及びこれを用いた投射型表示装置に関する。
【背景技術】
【０００２】
液晶プロジェクタや投射型テレビに用いられる液晶表示素子の種類としては、大別して透過型であるＬＣＤパネル（以下、「透過型パネル」と称す）と、反射型であるＬＣＯＳパネル（以下、「反射型パネル」と称す）等がある。透過型パネルでは、小型化や高解像度化を行う場合、回路の配線のため各画素の開口率が小さくなり、各画素の回りのブラックマトリクスが目立つ。一方、反射型パネルの場合は、回路の配線を反射面のある画素の裏側に配置できるので、ブラックマトリクスの目立たない画像を得ることができる。また、反射型パネルの場合、光束が液晶層を往復で２度通過するので、その分、液晶層の厚さを薄くできるので、液晶の応答性が速くなる。このことは、反射型パネルが、動画を表示するテレビ用途に適していることを意味する。
【０００３】
ところで、透過型パネルの場合は、液晶のシャッター作用により、ＯＮ光の透過と、ＯＦＦ光の遮光を実現できる。一方で、反射型パネルの場合は、ＯＮ光もＯＦＦ光も反射するので、偏光状態の制御と、ＰＢＳの組合せで、ＯＮ光の透過とＯＦＦ光の遮光を行う必要がある。
【０００４】
図９を用いて、その作用について説明する。図９において、照明光学系（図示せず）でＰ偏光に揃えられた光束は、反射型パネル２０の前に配置されたＰＢＳ１０を透過し、反射型パネル２０に照射される。各画素がＯＮの状態では、液晶層を往復する間にＰ偏光がＳ偏光に変換されるので、今度は、ＰＢＳ１０で反射し、投射レンズ３０側に光路が曲げられる。そして、各画素がＯＦＦの状態では、液晶層を往復してもＰ偏光のままなので、再び、ＰＢＳ１０を透過して照明光学系（図示せず）側に戻り、光束は投射レンズ３０に到達できない。
【０００５】
尚、光路レイアウトは、図１０に示すように、ＰＢＳ１０にＳ偏光で入射し、反射したＳ偏光が反射型パネル２０に照射され、各画素がＯＮの状態で、Ｐ偏光に変換された反射光が今度はＰＢＳ１０を透過する光路レイアウトでも良い。いずれにしても、ＰＢＳ１０は反射型パネル２０に対して偏光子，検光子として作用している。
【０００６】
ところで、ＰＢＳとしては、ＰＢＳ面に誘電体多層膜を設けたＰＢＳプリズムが広く知られているが、このＰＢＳプリズムは、図９に示したようなプリズムに垂直に入射する光線に対しては、消光比（ＯＮ光とＯＦＦ光の比）が良好であるが、斜め入射の光線に対する消光比が悪いという特性を持っている。なお、プリズムへの垂直入射は、ＰＢＳ面に対しては４５度入射であり、通常、この光線を膜設計のための設計中心の光線とする。
【０００７】
これに対して、ＭＯＸＴＥＫ社のＰｒｏＦｌｕｘ（商品名）という金属格子をガラス板の表面に設けた方式の金属格子型ＰＢＳがある。この金属格子型ＰＢＳは、ガラス板に４５度に入射する光線（設計中心の光線）に対する消光比は、前記のＰＢＳプリズムより悪いが、４５度からずれた斜め入射の光線での消光比の劣化が少なく、角度的な広がりをもった光束全体として、良好な消光比を得ることができる。しかしながら、ガラス板を斜めに光線が通過する構成では、非点収差が発生するので、光学的なレイアウト上の制約があること、また、投射レンズにとっては、空気層が必要となるので、バックフォーカスが大きくなり投射レンズ全体が大型化するという問題点がある。
【０００８】
これらの問題に対して、下記非特許文献１において、多層フィルムプリズムによるＰＢＳが開示されている。この多層フィルムによるＰＢＳプリズムは、誘電体多層膜を設けたＰＢＳプリズムより、斜め入射に対する消光比が優れている。
【０００９】
ところで、この文献中において、多層フィルムの例として、層数が８９２層で厚さが約０．１５ｍｍと記載されている。
【００１０】
尚、この文献では、ＰＢＳのプリズムの屈折率と多層フィルムの屈折率の差による非点収差の発生を防ぐために間にガラス板を配置している。非特許文献の中の図で確認できるこのガラス板自体は、フィルムの屈折率に近い硝材をプリズムの硝材に選択することで不要とできる。
【００１１】
【非特許文献１】ＳＩＤ０３  ＤＩＧＥＳＴ  Ｈｉｇｈ−Ｐｅｒｆｏｒｍａｎｃｅ  ＬＣｏＳ  Ｏｐｔｉｃａｌ  Ｅｎｇｉｎｅ  Ｕｓｉｎｇ  Ｃａｒｔｅｒｓｉａｎ  Ｐｏｌａｒｉｚｅｒ
【発明の開示】
【発明が解決しようとする課題】
【００１２】
多層フィルムを図９や図１０のＰＢＳに用いた場合の問題点について、図１１と図１２を用いて説明する。そもそも、可視光に含まれる各波長の光線に対して作用する多層フィルムにおける層は別々の層となる。図９で、ＰＢＳ１０にＰ偏光で入射し、透過した光線が反射型パネル２０に照射され、反射型パネル２０の各画素がＯＮの状態で、Ｓ偏光に変換された反射光が今度はＰＢＳ１０で反射することを説明した。図１１は図９と同じレイアウトなので、反射型パネル２０からのＳ偏光の反射光はＰＢＳ１０で反射する。その際、第１の波長の光線４は多層フィルムの層１で反射し、第２の波長の光線５は層２で反射し、そして、第３の波長の光線６は層３で反射する。従って、反射型パネル２０上の本来、同じ点から出射した異なる波長の光線が、多層フィルムの異なる層で反射する。つまり、ＰＢＳ１０のＰＢＳ面を構成する多層フィルムを反射する際、波長の違いによる光路長差が生じる。この結果、投射された白色の像には、色ずれが生じてしまう。多層フィルムの層厚約０．１５ｍｍを、反射型パネル２０上での長さに換算すると、√２倍をかけて、約０．２ｍｍとなる。この量は１画素の大きさの１０倍から２０倍と大きな値であり、投射系に使用できないことが分かる。
【００１３】
同様に、図１０で、ＰＢＳ１０にＳ偏光で入射し、反射した光線が反射型パネル２０に照射され、反射型パネル２０の各画素がＯＮの状態で、Ｐ偏光に変換された反射光が今度はＰＢＳ１０を透過することを説明した。図１２は図１０と同じレイアウトなので、ＰＢＳ１０に入射したＳ偏光はＰＢＳ面で反射し、反射型パネル２０に入射する。その際、第１の波長の光線４は多層フィルムの層１で反射し、第２の波長の光線５は層２で反射し、そして、第３の波長の光線６は層３で反射する。従って、照明光学系（図示せず）からのＳ偏光の光束は、ＰＢＳ１０のＰＢＳ面を構成する多層フィルムを反射する際、波長の違いによる光路長差が生じ、反射型パネル２０上に、波長毎にずれて照射されてしまう。反射型パネルの有効範囲でずれが生じれば、周辺部でいわゆる色ムラが生じるが、このずれは、照明光学系の光線が反射型パネル２０上でずれる量なので、予め、反射型パネル２０を照射する範囲を大きめに取っておけば、問題とはならない。しかしながら、反射型パネル２０での照射範囲を、例えば、上述したように約０．２ｍｍ大きくしておくことで色ムラは防止できるが、その分、光線の通過率が悪くなるので好ましくない。今後、反射型パネル２０が小型化することで、この約０．２ｍｍによる影響が増大する。
【００１４】
また、仮に光線の通過率を犠牲するとしても、図１２のような光学部品のレイアウトが必須となり、光学系のレイアウトの点で制約条件となる。
【００１５】
本発明は、上記した課題に鑑みてなされたもので、その目的は、ＰＢＳ面を多層フィルムで構成した多層フィルムＰＢＳを用いた場合に生じる、ＰＢＳ面反射の際の波長の違いによる光路長差を低減し、色ずれや色むらを低減できる偏光分離装置を提供することにある。
【課題を解決するための手段】
【００１６】
前記した目的を達成するために本願発明は、光源からの光を反射型映像表示素子に照射させ、反射型映像表示素子からの反射光を投射レンズ側に出射させる偏光分離装置であって、２つの面を平行に配し、Ｓ偏光の光を反射する２つの偏光分離面を有し、１面は、第１の有効偏光光に対して透過と反射を行い、反射型映像表素子への前記光の入出射を行い、他の１面は、第２の有効偏光光に対して少なくとも反射を行うように構成する。この構成により、Ｓ偏光の光の各波長の光路長を等しくすることができる。
【発明の効果】
【００１７】
本発明によれば、消光比に優れた多層フィルムＰＢＳを使用しても、色ずれや色ムラの無い偏光分離装置を提供できる。
【発明を実施するための最良の形態】
【００１８】
以下、図を用いて、本発明の具体的な構成、及び作用について説明する。
【実施例１】
【００１９】
図１から図４を用いて、本発明の第１の実施例について説明する。図１は本発明による第１の実施例である偏光分離装置、図２は第１の実施例の偏光分離装置の波長による光路長差の補正原理を説明する図、図３は第１の実施例の偏光分離装置の変形例を説明する図、図４は第１の実施例の偏光分離装置を３板式反射型パネルに適用した要部構成図である。なお、図１〜図４において、同一な機能を有する要素には同一符号を付して示す。
【００２０】
まず図１を用いて第１の実施例である偏光分離装置の構成について述べる。図１において、偏光分離装置は、反射型パネル２０の入射光路上に配置された第１ＰＢＳ１１と、第１ＰＢＳ１１からの透過光を反射させる反射ミラー５０と、第１ＰＢＳ１１からの透過光が反射ミラー５０との間を往復する間に該透過光の偏光方向を直交する偏光方向に変換する１／４波長板４０と、第１ＰＢＳ１１の偏光分離面であるＰＢＳ面１１ａとその偏光分離面であるＰＢＳ面１２ａが平行となるように配置された第２ＰＢＳ１２とからなる。そして、反射型パネル２０と１／４波長板４０，反射ミラー５０は、ＰＢＳ面１１ａとＰＢＳ面１２ａの対向する面側を望める第１ＰＢＳ１１と第２ＰＢＳ１２のそれぞれのプリズム面に配置されている。
【００２１】
予め照明光学系（図示せず）で有効偏光光としてＰ偏光に揃えた光束１１０ｐを図１のように第１ＰＢＳ１１へ入射させると、Ｐ偏光は第１ＰＢＳ１１を透過する。透過したＰ偏光の光束１１０ｐは、１／４波長板４０を通過し、反射ミラー５０で反射し、再び、１／４波長板４０を通過することで、Ｓ偏光に変換される。従って有効偏光光はＳ偏光光となり、Ｓ偏光の光束１１０ｓは、第１ＰＢＳ１１のＰＢＳ面１１ａと第２ＰＢＳ１２のＰＢＳ面１２ａで反射し、反射型パネル２０へ照射される。反射型パネル２０の画素がＯＮの場合、Ｓ偏光がＰ偏光に変換されて反射されるので、今度は、Ｐ偏光光が有効偏光光となり、有効偏光光であるＰ偏光の光束１２０ｐは第２ＰＢＳ１２を透過し、投射レンズ３０へ入射する。
【００２２】
ここで、第１ＰＢＳ１１と第２ＰＢＳ１２には多層フィルムを２つのプリズムで挟み込んだＰＢＳを用いるが、本実施例では、図２のように、第２ＰＢＳ１２のＰＢＳ面１２ａを第１ＰＢＳ１１のＰＢＳ面１１ａと向きを揃えて配置する。
【００２３】
図２において、反射ミラー５０からの有効偏光光であるＳ偏光の光束１１０ｓの内、第１の波長の光束はＰＢＳ面１１ａの層１１ａ１で反射し、更にＰＢＳ面１２ａの層１２ａ１で反射して反射型パネル２０に入射する。また、第３の波長の光束はＰＢＳ面１１ａの層１１ａ３で反射し、更にＰＢＳ面１２ａの層１２ａ３で反射して反射型パネル２０に入射する。従って、反射ミラー５０から反射型パネル２０までの各波長の光路長は等しくなり、つまり、ＰＢＳ面１１ａで生じる波長による光路長差がＰＢＳ面１２ａで生じる光路長差で相殺され（即ち、波長による光路長差が補正され）、波長の違いによる色むらを防止できる。
【００２４】
図３は、第１ＰＢＳ１１と第２ＰＢＳ１２の間で向い合ったプリズムを一体化した構成である。図１では三角柱のプリズム４個で第１ＰＢＳ１１と第２ＰＢＳ１２を構成しているが、図３では、三角柱のプリズム２個と平行四辺形形状の四角柱１個を用いて、それらの界面に多層フィルム構成の偏光分離面であるＰＢＳ面１３ａと１３ｂを形成して一体型ＰＢＳ１３を構成している。これは、図１で第１ＰＢＳ１１と第２ＰＢＳ１２の間に１／２波長板を配置しない構成なので、向い合ったプリズムの一体化は可能となった訳である。
【００２５】
図１の偏光分離装置を３板構成に用いた場合の例を図４示す。図４で、６０はダイクロイックプリズム、７１と７２は１／２波長板である。なお、図４において、図１と同一の機能を有する他の構成部品には同一符号を付して示す。
【００２６】
図４では図示しない色分離手段でＰ偏光の白色光を予め赤、緑、青の３色に分解し、各色の光束を図１で説明した偏光分離装置に入射させる。各反射型パネル２０で反射した光束は、色合成の作用を持つダイクロイックプリズム６０によって色合成され、投射レンズ３０へ入射される。尚、２つの光路でダイクロイックプリズム６０の手前に配置した１／２波長板７１と７２によって、該当の２色は偏光状態がＰ偏光からＳ偏光に変換された上で、クロスダイクロイックプリズム６０に入射される。この１／２波長板７１と７２で２色（例えば赤と青）の偏光状態を変換したのは、反射ではＳ偏光の方が効率が良いことと、３色とも同じ偏光状態とするより、赤と青をＳ偏光で緑をＰ偏光でクロスダイクロイックプリズム６０を設計した方が効率が良いこと、による。
【実施例２】
【００２７】
次に、図５と図６を用いて、本発明の第２の実施例について説明する。図５は本発明による第２の実施例である偏光分離装置、図６は第２の実施例の偏光分離装置の変形例を説明する図である。なお、図５，図６において、図１〜図３に同一な機能を有する要素には同一符号を付して示し、その説明を省略する。
【００２８】
図５のように、予め照明光学系（図示せず）で有効偏光光としてＰ偏光に揃えた光束を第１ＰＢＳ１１へ入射させると、Ｐ偏光は第１ＰＢＳ１１を透過し反射型パネル２０に照射される。反射型パネル２０の画素がＯＮの場合、Ｐ偏光がＳ偏光に変換されて反射するので、今度は、Ｓ偏光光が有効偏光光となり、Ｓ偏光の光束は第１ＰＢＳ１１のＰＢＳ面１１ａで反射する。反射したＳ偏光の光束は、第２ＰＢＳ１２のＰＢＳ面１２ａで反射し、投射レンズ３０へ入射する。
【００２９】
ここで、第１ＰＢＳ１１と第２ＰＢＳ１２には多層フィルムを２つのプリズムで挟み込んだＰＢＳを用いるが、第２ＰＢＳ１２のＰＢＳ面１２ａを第１ＰＢＳ１１のＰＢＳ面１１ａと平行となるように、また向きを揃えて配置することで、図２で述べた同様の理由により、波長の違いによる光路長差を低減でき、結果として色ずれを防止できる。
【００３０】
尚、図６は、第１ＰＢＳ１１と第２ＰＢＳ１２の間で向い合ったプリズムを一体化した構成である。図５では三角柱のプリズム４個で第１ＰＢＳ１１と第２ＰＢＳ１２を構成しているが、図６では、三角柱のプリズム２個と平行四辺形形状の四角柱１個を用いて、それらの界面に多層フィルム構成の偏光分離面であるＰＢＳ面１３ａと１３ｂを形成して一体型ＰＢＳ１３を構成している。これは、図５で第１ＰＢＳ１１と第２ＰＢＳ１２の間に１／２波長板を配置しない構成のため、向い合ったプリズムの一体化は可能となる。
【実施例３】
【００３１】
次に、図７と図８を用いて、本発明の第３の実施例について説明する。図７は本発明による第３の実施例である偏光分離装置、図８は第３の実施例の偏光分離装置の変形例を説明する図である。なお、図７，図８において、図１〜図３に同一な機能を有する要素には同一符号を付して示し、その説明を省略する。
【００３２】
図７のように、予め照明光学系（図示せず）で有効偏光光としてＳ偏光に揃えた光束を第１ＰＢＳ１１へ入射させると、Ｓ偏光は第１ＰＢＳ１１のＰＢＳ面１１ａで反射する。反射したＳ偏光の光束は、第２ＰＢＳ１２のＰＢＳ面１２ａで反射し、反射型パネル２０へ照射される。反射型パネル２０の画素がＯＮの場合、Ｓ偏光がＰ偏光に変換されて反射されるので、今度は、Ｐ偏光光が有効偏光光となり、Ｐ偏光の光束は第２ＰＢＳ１２を透過し、投射レンズ３０へ入射する。
【００３３】
ここで、第１ＰＢＳ１１と第２ＰＢＳ１２には多層フィルムを２つのプリズムで挟み込んだＰＢＳを用いるが、第２ＰＢＳ１２のＰＢＳ面１２ａを第１ＰＢＳ１１のＰＢＳ面１１ａと平行となるように、また向きを揃えて配置することで、図２で述べた同様の理由により、波長の違いによる光路長差を低減でき、結果として色むらを防止できる。
【００３４】
尚、図８は、第１ＰＢＳ１１と第２ＰＢＳ１２の間で向い合ったプリズムを一体化した構成である。図７では三角柱のプリズム４個で第１ＰＢＳ１１と第２ＰＢＳ１２を構成しているが、図７では、三角柱のプリズム２個と平行四辺形形状の四角柱１個を用いて、それらの界面に多層フィルム構成の偏光分離面であるＰＢＳ面１３ａと１３ｂを形成して一体型ＰＢＳ１３を構成している。これは、図７で第１ＰＢＳ１１と第２ＰＢＳ１２の間に１／２波長板を配置しない構成のため、向い合ったプリズムの一体化は可能となる。
【００３５】
以上述べた実施例では、反射型パネルをＬＣＯＳパネルとしたが、これに限定されるものではなく、旋光性を利用して光強度変調を行う反射型ライトバルブであればよいことはいうまでもない。
また、図１３は本願発明の偏光分離装置を適用した投射型表示装置の構成を示すブロック図である。
【００３６】
図1３において、１は光源であり、超高圧水銀ランプ、メタルハライドランプ、キセノンランプ、水銀キセノンランプ、ハロゲンランプ等の白色ランプである。光源１の電球から放射される光は例えば放物面の反射鏡２で反射されて光軸に平行となり、第１アレイレンズ３に入射される。第１アレイレンズ３は、入射した光をマトリックス状に配設された複数のレンズセルで複数の光に分割して、効率よく第２アレイレンズ４と偏光変換素子５を通過するように導く。即ち、第１アレイレンズ３は光源１と第２アレイレンズ４の各レンズセルとが互いに物体と像の関係（共役関係）になるように設計されている。第１アレイレンズ３と同様に、マトリックス状に配設された複数のレンズセルを持つ第２アレイレンズ４は、構成するレンズセルそれぞれが対応する第１アレイレンズ３のレンズセルの形状を反射型パネル２０に投影する。この時、偏光変換素子５で第２アレイレンズ４からの光は所定の偏光方向、本実施例においてはＳ偏光光に揃えられる。そして、第１アレイレンズ３で複数に分割された光束は、第２アレイレンズ４と図示しない集光レンズによって、反射型パネル２０上に重畳して投影され、実用上問題のないレベルの均一性の高い照度分布の照明が可能となる。
【００３７】
偏光変換素子５にて有効偏光光としてＳ偏光光に揃えられた光束は、第１ＰＢＳ１１に入射され、ＰＢＳ面で反射する。反射した有効偏光光であるＳ偏光の光束は、第２ＰＢＳ１２のＰＢＳ面で反射し、反射型パネル２０へ照射される。反射型パネル２０の画素がＯＮの場合、Ｓ偏光がＰ偏光に変換されて反射されるので、今度は、Ｐ偏光光が有効偏光光となり、Ｐ偏光光は第２ＰＢＳ１２を透過し、投射レンズ３０へ入射する。
【００３８】
本実施例での偏光分離装置として、第３の実施例での偏光分離装置を適用した場合について述べたが、第１或いは第２の実施例での偏光分離装置も適用可能であることは言うまでも無い。
【図面の簡単な説明】
【００３９】
【図１】本発明の第１の実施例の偏光分離装置を説明する図。
【図２】波長による光路長差の補正原理を説明する図。
【図３】本発明の第１の実施例の偏光分離装置の変形例を説明する図。
【図４】本発明の第１の実施例の偏光分離装置を３板式反射型パネルに適用した要部構成図。
【図５】本発明の第２の実施例の偏光分離装置を説明する図。
【図６】本発明の第２の実施例の偏光分離装置の変形例を説明する図。
【図７】本発明の第３の実施例の偏光分離装置を説明する図
【図８】本発明の第３の実施例の偏光分離装置の変形例を説明する図。
【図９】反射型パネルで反射したＯＮ光束がＰＢＳで反射するレイアウトを説明する図。
【図１０】反射型パネルで反射したＯＮ光束がＰＢＳを透過するレイアウトを説明する図。
【図１１】反射型パネルで反射したＯＮ光束がＰＢＳで反射するレイアウトでの多層フィルムＰＢＳの作用を説明する図。
【図１２】反射型パネルで反射したＯＮ光束がＰＢＳを透過するレイアウトでの多層フィルムＰＢＳの作用を説明する図。
【図１３】本願発明の偏光分離装置を適用した投射型表示装置の構成を示すブロック図である。
【符号の説明】
【００４０】
１…光源、２…反射鏡、３…第１アレイレンズ、４…第２アレイレンズ、５…偏光変換素子、１０…ＰＢＳ、１１…第１ＰＢＳ、１２…第２ＰＢＳ、１３…一体型ＰＢＳ、２０…反射型パネル、３０…投射レンズ、４０…１／４波長板、５０…反射ミラー、６０…クロスダイクロイックプリズム、７１，７２…１／２波長板。
【図１】
2006145644.tif 000003
【図２】
2006145644.tif 000004
【図３】
2006145644.tif 000005
【図４】
2006145644.tif 000006
【図５】
2006145644.tif 000007
【図６】
2006145644.tif 000008
【図７】
2006145644.tif 000009
【図８】
2006145644.tif 000010
【図９】
2006145644.tif 000011
【図１０】
2006145644.tif 000012
【図１１】
2006145644.tif 000013
【図１２】
2006145644.tif 000014
【図１３】
2006145644.tif 000015